(57)【要約】【課題】販売前の流通、保管時或いは販売陳列時等に、他人により意図的にあるいは不意に外力が加えられてもカバー体が吐出器本体から外れるのを防ぎ、カバー体が吐出器本体から外されたことがあるか否かを容易に判別でき、さらに購入者自身が内容物の使用を開始した後も、不意に加えられた外力により内容物が吐出されてしまうのを防ぐ。【解決手段】吐出器本体１６を覆うカバー体１８は、吐出器本体１６の中間部分２２に離脱可能に外嵌されるとともに下端が装着キャップ１１の天壁部１７上に配置された下筒部３０と、押下ヘッド１４を覆う上筒部３１と、を備え、上筒部３１の周壁部３３は第１周壁体３４及び第２周壁体３５を備え、これらの両周壁体３４、３５それぞれにおける両周端部のうちの一方の周端部同士がヒンジ部３６により連結され該ヒンジ部３６回りに回転自在に構成されるとともに、他方の周端部同士が破断可能な連結部材により連結されている。【選択図】図３
2010195469.tif 000002
【特許請求の範囲】
【請求項１】
内容物が収容された容器体の口部に装着される有頂筒状の装着キャップと、
この装着キャップに上方付勢状態で下方移動可能に貫設されたステムを有するポンプと、
前記ステムの上端に装着されるとともに吐出孔が形成された押下ヘッドと、を備え、
前記押下ヘッドを押下して前記ステムを下方に移動させ前記ポンプを作動させることにより、容器体内の内容物が移送されて前記吐出孔から吐出される吐出器本体を有する吐出器であって、
前記吐出器本体のうち前記装着キャップの天壁部よりも上方に位置する部分を覆うカバー体を備え、
このカバー体は、前記吐出器本体において前記装着キャップの天壁部と前記押下ヘッドとの間に位置し、かつ前記押下ヘッドの外径よりも小径の中間部分に離脱可能に外嵌されるとともに、下端が前記装着キャップの天壁部上に配置された下筒部と、この下筒部と一体に形成されるとともに前記押下ヘッドを覆う上筒部と、を備え、
前記下筒部は、上下方向における全長にわたって延びる開口部を有し上面視Ｃ字状に形成され、前記カバー体および吐出器本体の径方向に沿った相対的な進退移動に伴い、前記中間部分が前記開口部を径方向に通過することで前記下筒部内に対して嵌合および離脱され、
前記上筒部は、前記押下ヘッドを径方向の外側から覆う周壁部を備え、
この周壁部は、それぞれが上面視Ｃ字状に形成された第１周壁体および第２周壁体を備え、これらの第１周壁体および第２周壁体それぞれにおける両周端部のうちの一方の周端部同士がヒンジ部により連結されて該ヒンジ部回りに回転自在に構成されるとともに、他方の周端部同士が破断可能な連結部材により連結され、
前記第１周壁体の下端部が前記下筒部の上端部に接続されていることを特徴とする吐出器。
【請求項２】
請求項１記載の吐出器であって、
前記押下ヘッドの外周面には、先端に前記吐出孔が形成された吐出筒が径方向の外側に向けて突設され、
前記上筒部の第１周壁体における周方向の中央部には、内部に前記吐出筒が収納される先端閉塞の収納体が径方向の外側に向けて突設されていることを特徴とする吐出器。
【請求項３】
請求項１または２に記載の吐出器であって、
前記第２周壁体の内周面における曲率半径は、前記押下ヘッドの外周面における曲率半径よりも大きくなっていることを特徴とする吐出器。
【請求項４】
請求項１から３のいずれか１項に記載の吐出器であって、
前記押下ヘッドは、頂壁部とこの頂壁部から下方に向けて延設された筒体とを備え、
前記下筒部の上端は、前記筒体の下端に下側から近接若しくは当接していることを特徴とする吐出器。
【発明の詳細な説明】
【技術分野】
【０００１】
本発明は、吐出器に関するものである。
【背景技術】
【０００２】
内容物が収容された容器体の口部に装着される有頂筒状の装着キャップと、この装着キャップに上方付勢状態で下方移動可能に貫設されたステムを有するポンプと、ステムの上端に装着されるとともに吐出孔が形成された押下ヘッドと、を備え、押下ヘッドを押下してステムを下方に移動させ前記ポンプを作動させることにより、容器体内の内容物が移送されて吐出孔から吐出される吐出器本体、並びにこの吐出器本体のうち装着キャップの天壁部よりも上方に位置する部分を覆うカバー体を備える吐出器が知られている。
このようなカバー体として、例えば下記特許文献１に示されるように、不意に加えられた外力を受け止め、この外力がステムに伝わるのを防ぐことで内容物が吐出されることを防止する構成が知られている。
ところで近年では、販売前の流通、保管時あるいは販売陳列時等に、他人により意図的にあるいは不意に加えられた外力によって内容物が吐出されてしまうことを防止でき、さらに未使用であることを容易に判別させることが可能な構成が要望されている。
【先行技術文献】
【特許文献】
【０００３】
【特許文献１】特開２００６−３２７６１２号公報
【発明の概要】
【発明が解決しようとする課題】
【０００４】
しかしながら、前記従来の吐出器では、前記カバー体が吐出器本体から外れ易く、しかも外された後に再度装着されると、カバー体が外れたことがあるか否かの判別が困難であり、前述の要望に対応し難いという問題があった。
【０００５】
この発明は、このような事情を考慮してなされたもので、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる吐出器を提供することを目的とする。
【課題を解決するための手段】
【０００６】
上記課題を解決して、このような目的を達成するために、本発明の吐出器は、内容物が収容された容器体の口部に装着される有頂筒状の装着キャップと、この装着キャップに上方付勢状態で下方移動可能に貫設されたステムを有するポンプと、前記ステムの上端に装着されるとともに吐出孔が形成された押下ヘッドと、を備え、前記押下ヘッドを押下して前記ステムを下方に移動させ前記ポンプを作動させることにより、容器体内の内容物が移送されて前記吐出孔から吐出される吐出器本体を有する吐出器であって、前記吐出器本体のうち前記装着キャップの天壁部よりも上方に位置する部分を覆うカバー体を備え、このカバー体は、前記吐出器本体において前記装着キャップの天壁部と前記押下ヘッドとの間に位置し、かつ前記押下ヘッドの外径よりも小径の中間部分に離脱可能に外嵌されるとともに、下端が前記装着キャップの天壁部上に配置された下筒部と、この下筒部と一体に形成されるとともに前記押下ヘッドを覆う上筒部と、を備え、前記下筒部は、上下方向における全長にわたって延びる開口部を有し上面視Ｃ字状に形成され、前記カバー体および吐出器本体の径方向に沿った相対的な進退移動に伴い、前記中間部分が前記開口部を径方向に通過することで前記下筒部内に対して嵌合および離脱され、前記上筒部は、前記押下ヘッドを径方向の外側から覆う周壁部を備え、この周壁部は、それぞれが上面視Ｃ字状に形成された第１周壁体および第２周壁体を備え、これらの第１周壁体および第２周壁体それぞれにおける両周端部のうちの一方の周端部同士がヒンジ部により連結されて該ヒンジ部回りに回転自在に構成されるとともに、他方の周端部同士が破断可能な連結部材により連結され、前記第１周壁体の下端部が前記下筒部の上端部に接続されていることを特徴とする。
【０００７】
この発明によれば、上筒部の連結部材が破断される前には、上筒部の周壁部が押下ヘッドを径方向の外側から覆っているので、カバー体の吐出器本体に対する径方向の移動が規制され、また、下筒部内に押下ヘッドの外径より小径の前記中間部分が嵌合されているので、下筒部の上端が押下ヘッドの下端に当接することで、カバー体の吐出器本体に対する上方に向けた移動も規制されることとなる。したがって、販売前の流通、保管時あるいは販売陳列時等に、他人により意図的にあるいは不意に外力が加えられてもカバー体が吐出器本体から外れるのを防ぐことができる。
【０００８】
また、カバー体を吐出器本体から外すには、第１周壁体および第２周壁体を、それぞれの他方の周端部同士が互いに離間する方向に前記ヒンジ部回りに回転させて前記連結部材を破断させ、その後、カバー体および吐出器本体を相対的に径方向に沿って離間移動させることで、吐出器本体の前記中間部分を下筒部の開口部を径方向に通過させて下筒部内から離脱させる。
このように、カバー体を吐出器本体から外すためには、上筒部の連結部材を破断しなければならず、連結部材を破断した後は、第２周壁体が第１周壁体に対して不安定で初期姿勢に復元不能となり、購入者にカバー体が吐出器本体から外されたことがあるか否かを容易に判別させることができる。
【０００９】
そして、購入者において内容物の使用後に保管する際には、下筒部の開口部と、吐出器本体の前記中間部分と、を径方向で互いに対向させた状態で、カバー体と吐出器本体とを相対的に径方向に接近移動させることにより、吐出器本体の前記中間部分を下筒部の開口部を径方向に通過させて下筒部内に嵌合させ、カバー体を吐出器本体に装着する。これにより、押下ヘッドは、径方向の外側から上筒部の第１周壁体により覆われ、また下筒部の下端は、装着キャップの天壁部上に配置され、さらに下筒部の上端と押下ヘッドの下端とが上下方向で対向若しくは当接する。
【００１０】
以上のように、販売前の流通、保管時あるいは販売陳列時、さらには購入者による内容物の使用後の保管時の別を問わず、カバー体を吐出器本体に装着した状態では、下筒部の下端が装着キャップの天壁部上に配置されるとともに、下筒部の上端と押下ヘッドの下端とが上下方向で対向若しくは当接しているので、吐出器に押下ヘッドおよびステムを下方に移動させる外力が加えられても、その力が、下筒部を介して装着キャップに伝達されて容器体により受け止められることとなり、押下ヘッドおよびステムの下方への移動を防止することができる。
したがって、販売前の流通、保管時あるいは販売陳列時、さらには購入者による内容物の使用後の保管時の別を問わず、カバー体が吐出器本体に装着されているときには、他人により意図的にあるいは不意に加えられた外力によって内容物が吐出されてしまうのを防ぐことができる。
【００１１】
ここで、前記押下ヘッドの外周面には、先端に前記吐出孔が形成された吐出筒が径方向の外側に向けて突設され、前記上筒部の第１周壁体における周方向の中央部には、内部に前記吐出筒が収納される先端閉塞の収納体が径方向の外側に向けて突設されてもよい。
【００１２】
この場合、収納体が、上筒部の第１周壁体における周方向の中央部に径方向の外側に向けて突設されているので、内容物の使用後に、カバー体を再度吐出器本体に装着するために、下筒部の開口部と、吐出器本体の前記中間部分と、を径方向で互いに対向させたときに、吐出筒の先端と収納体の内部とを径方向で互いに対向させることも可能になる。これにより、カバー体と吐出器本体とを相対的に径方向に接近移動させたときに、吐出筒を収納体の内部に進入させながら、下筒部内に吐出器本体の前記中間部分を嵌合することが可能になり、カバー体を吐出器本体に容易に装着することができる。
【００１３】
また、前記第２周壁体の内周面における曲率半径は、前記押下ヘッドの外周面における曲率半径よりも大きくなってもよい。
【００１４】
この場合、第２周壁体の内周面における曲率半径が、押下ヘッドの外周面における曲率半径よりも大きくなっているので、連結部材を破断した後は、第２周壁体を押下ヘッドに外嵌させて固定することができなくなる。したがって、第２周壁体が第１周壁体のみならず押下ヘッドに対しても不安定となり、第２周壁体の初期姿勢を確実に復元不能にすることが可能になり、購入者にカバー体が吐出器本体から外されたことがあるか否かをより一層容易に判別させることができる。
【００１５】
さらに、前記押下ヘッドは、頂壁部とこの頂壁部から下方に向けて延設された筒体とを備え、前記下筒部の上端は、前記筒体の下端に下側から近接若しくは当接してもよい。
【００１６】
この場合、下筒部の上端が、押下ヘッドの筒体の下端に下側から近接若しくは当接しているので、販売前の流通、保管時あるいは販売陳列時、さらには購入者による内容物の使用後の保管時の別を問わず、カバー体が吐出器本体に装着されているときには、他人により意図的にあるいは不意に加えられた外力によって、押下ヘッドが押し下げられるのをより一層確実に防ぐことができる。
【発明の効果】
【００１７】
この発明によれば、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる。
【図面の簡単な説明】
【００１８】
【図１】本発明に係る一実施形態として示した吐出器の半縦断面図である。
【図２】図１に示す吐出器の側面図である。
【図３】図１および図２に示す吐出器の要部を示す斜視図である。
【図４】図１から図３に示す吐出器のカバー体の下面図である。
【図５】図１から図４に示す吐出器のカバー体であって吐出器本体に組付ける前の展開した状態を示す下面図である。
【図６】図５に示すカバー体の正面図であって第１周壁体および下筒部の半縦断面図である。
【発明を実施するための形態】
【００１９】
以下、図面を参照し、この発明の実施の形態について説明する。
本実施形態に係る吐出器１は、図１から図３に示されるように、内容物が収容された容器体２の口部２ａに装着される有頂筒状の装着キャップ１１と、この装着キャップ１１に上方付勢状態で下方移動可能に貫設されたステム１２を有するポンプ１３と、ステム１２の上端に装着されるとともに吐出孔が形成された押下ヘッド１４と、を備える吐出器本体１６、並びに吐出器本体１６のうち装着キャップ１１の天壁部１７よりも上方に位置する部分を覆うカバー体１８を備えている。
【００２０】
そして、カバー体１８を吐出器本体１６から外した状態で、押下ヘッド１４を押下してステム１２を下方に移動させポンプ１３を作動させることにより、容器体２内の内容物が移送されて吐出孔から吐出されるようになっている。
ここで、容器体２、装着キャップ１１およびステム１２それぞれの中心軸は共通軸上に位置している。以下、この共通軸を中心軸Ｏといい、中心軸Ｏ方向に沿ってカバー体１８の頂部３２側を上側、容器体２の図示されない底部側を下側といい、また中心軸Ｏに直交する方向を径方向といい、さらに中心軸Ｏを中心に周回する方向を周方向という。
【００２１】
装着キャップ１１は、中央部に円形の開口が形成された天壁部１７と、天壁部１７の外周縁部から下方に向けて延設された周壁部２１と、天壁部１７に前記開口と同軸に配置されるとともに上方に向けて延設された案内筒部（中間部分）２２と、を備えている。周壁部２１の内周面には雌ねじ部が形成されており、この雌ねじ部が容器体２の口部２ａに形成された雄ねじ部に螺合されることにより、装着キャップ１１が容器体２に装着されている。
【００２２】
ポンプ１３は、前記ステム１２と、内部にステム１２の下部が上下動自在に配設されたシリンダ２３と、シリンダ２３の内部に上下摺動自在に配設された図示されないピストン部材と、ステム１２を上方に向けて付勢する図示されない付勢部材と、を備えている。
ステム１２の上部は、シリンダ２３の上端から上方に突出し、かつ装着キャップ１１の案内筒部２２内に配設され、さらにその上端部は案内筒部２２の上端から上方に突出している。
シリンダ２３は、円筒状に形成されるとともに前記中心軸Ｏと同軸に配設されている。シリンダ２３の上端には、全周にわたってフランジ部２３ａが径方向の外側に向けて突設されており、このフランジ部２３ａが、装着キャップ１１の天壁部１７の下面と、容器体２の口部２ａの開口端縁上のパッキン２４と、により上下方向に挟み込まれている。シリンダ２３の下端部内には、パイプ２５の上端部が嵌合されており、このパイプ２５の下端開口部が容器体２内の底部に位置している。
【００２３】
押下ヘッド１４は、頂壁部２６と、頂壁部２６の下面における中央部から下方に向けて延設された装着筒部（筒体）２７と、頂壁部２６の外周縁から下方に向けて延設され装着筒部２７を径方向の外側から囲繞する囲繞筒部（筒体）２８と、囲繞筒部２８の外周面に径方向の外側に向けて突設された吐出筒２９と、を備えている。
装着筒部２７内にステム１２の上端部が嵌合されており、この装着筒部２７内とステム１２内とが連通している。吐出筒２９の先端には前記吐出孔が形成され、また吐出筒２９の内部は装着筒部２７の内部と連通している。
【００２４】
囲繞筒部２８において、上部２８ａの外周面は上方から下方に向かうに従い漸次縮径され、下部２８ｂの外周面は上下方向における全長にわたって同等の外径となっている。囲繞筒部２８の下部２８ｂの外径は、上部２８ａの下端における外径と同等になっている。囲繞筒部２８の下部２８ｂにおける内径は、装着キャップ１１の案内筒部２２の外径よりも大きくなっており、押下ヘッド１４の上下動に伴い、案内筒部２２が囲繞筒部２８内に下側から進退移動するようになっている。また、カバー体１８を後述のように吐出器本体１６から外したときに、囲繞筒部２８の下端開口縁がその全周にわたって、装着キャップ１１の天壁部１７の上面に上方から対向するようになっている。なお図示の例では、案内筒部２２の上端部は、押下ヘッド１４の押下時および非押下時の別を問わず常に囲繞筒部２８内に位置している。
【００２５】
以上の構成において、押下ヘッド１４を押下すると、まずステム１２が下方に向けて移動させられる。このステム１２の移動に追従して、前記ピストン部材がシリンダ２３の内周面に摺接しつつ下方に移動する。これにより、シリンダ２３内の内容物が圧縮され、この圧縮されたシリンダ２３内の内容物が、ステム１２内に進入してこのステム１２内を上方に向けて移動する。
その後、押下ヘッド１４の押下を解除すると、前記ピストン部材が前記付勢部材の上方付勢力によりシリンダ２３の内周面に摺接しつつ上方に向けて復元移動する。これにより、シリンダ２３内が減圧され、容器体２内に収容されている内容物がパイプ２５を通してシリンダ２３内に吸い上げられる。
【００２６】
そして本実施形態では、カバー体１８は、図１から図６に示されるように、吐出器本体１６において装着キャップ１１の天壁部１７と押下ヘッド１４との間に位置する装着キャップ１１の案内筒部２２に離脱可能に外嵌された下筒部３０と、この下筒部３０と一体に形成されるとともに押下ヘッド１４を覆う上筒部３１と、を備えている。
【００２７】
下筒部３０は、その下端が装着キャップ１１の天壁部１７上に配置され、かつ上端が押下ヘッド１４の囲繞筒部２８の下端開口縁に下側から当接若しくは近接させられて、案内筒部２２に外嵌されている。
下筒部３０は、図３から図５に示されるように、上下方向における全長にわたって延びる開口部３０ａを有し上面視Ｃ字状に形成されている。これにより、カバー体１８および吐出器本体１６の径方向に沿った相対的な進退移動に伴い、案内筒部２２が、下筒部３０の開口部３０ａを周方向に拡幅するように下筒部３０を弾性変形させながら、この開口部３０ａを径方向に通過することで、下筒部３０内に対して嵌合および離脱されるようになっている。
【００２８】
上筒部３１は、押下ヘッド１４を上方から覆う頂部３２と、押下ヘッド１４を径方向の外側から全周にわたって覆う周壁部３３と、を備えている。
頂部３２は、平板状に形成されており、押下ヘッド１４の頂壁部２６を上方からそのほぼ全域にわたって覆っている。
【００２９】
周壁部３３は、それぞれが上面視Ｃ字状に形成された第１周壁体３４および第２周壁体３５を備えている。そして、これらの第１周壁体３４および第２周壁体３５それぞれにおける両周端部のうちの一方の周端部同士が、図３から図６に示されるように、ヒンジ部３６により連結されて該ヒンジ部３６回りに回転自在に構成されるとともに、他方の周端部同士が破断可能な後述する連結部材により連結されている。
第１周壁体３４および第２周壁体３５それぞれの他方の周端部の外周面には、上下方向に沿って延びる第１板状体３４ａおよび第２板状体３５ａが径方向の外側に向けて各別に突設されている。第１周壁体３４の第１板状体３４ａは、第２周壁体３５の第２板状体３５ａよりも径方向の大きさが小さくなっている。なお、第１板状体３４ａは、第１周壁体３４のうち後述する小径部３４ｃの外周面に突設されている。
【００３０】
第１板状体３４ａには貫通孔３４ｆが形成されている。貫通孔３４ｆは、図５に示されるように、第１板状体３４ａにおいて第２板状体３５ａに当接する表面側に位置する小径部３４ｄと、該表面と反対の裏面側に位置する大径部３４ｅと、を備えている。本実施形態では、前記連結部材は、第２板状体３５ａにおいて第１板状体３４ａに当接する表面に突設された突起体３７となっている。突起体３７は、第２板状体３５ａの表面に接続された破断可能な接続部３７ａと、接続部３７ａの先端に設けられた係止部３７ｂと、を備えている。係止部３７ｂの外径は、接続部３７ａ側の基端側から先端側に向かうに従い漸次縮径されるとともに、その基端部における外径は接続部３７ａの外径よりも大きくなっている。
【００３１】
これにより、図５に示す状態から、第１周壁体３４および第２周壁体３５を、それぞれの他方の周端部同士を接近させるようにヒンジ部３６回りに回転させると、突起体３７の係止部３７ｂが、貫通孔３４ｆの小径部３４ｄの内周面に摺接しつつ、この小径部３４ｄを通過して大径部３４ｅに進入する。この際、図４に示されるように、第１板状体３４ａおよび第２板状体３５ａの各表面が互いに重ね合わされ、かつ突起体３７の係止部３７ｂにおける基端側の端面３７ｃが、大径部３４ｅの内面に引っ掛かる。なお、突起体３７の接続部３７ａは、貫通孔３４ｆの小径部３４ｄ内に位置している。
【００３２】
そして、第１周壁体３４および第２周壁体３５を、それぞれの他方の周端部同士を離間させるようにヒンジ部３６回りに回転させると、突起体３７の係止部３７ｂにおける基端側の端面３７ｃが貫通孔３４ｆの大径部３４ｅの内面に引っ掛かることで、突起体３７の接続部３７ａが破断させられる。
【００３３】
ここで、第１周壁体３４の下端部は、その周方向における中央部と下筒部３０の周方向における中央部とが互いに一致させられた状態で、下筒部３０の上端部に接続されている。これにより、第１周壁体３４および下筒部３０と、第２周壁体３５と、がヒンジ部３６回りに相対的に回転自在になっている。
また本実施形態では、第１周壁体３４における周方向の中央部には、内部に押下ヘッド１４の吐出筒２９が収納される先端閉塞の収納体３８が径方向の外側に向けて突設されている。なお、収納体３８の内面と吐出筒２９の外面との間には隙間が設けられている。
【００３４】
さらに本実施形態では、第１周壁体３４は、押下ヘッド１４の囲繞筒部２８における上部２８ａを覆う大径部３４ｂと、囲繞筒部２８の下部２８ｂを覆う小径部３４ｃと、を備えている。第２周壁体３５の上端縁は、頂部３２よりも下方に離れていて、この第２周壁体３５は、押下ヘッド１４の囲繞筒部２８のうち下部２８ｂのみを覆い、上部２８ａは露出させている。また、囲繞筒部２８の上部２８ａの外周面は、下方から上方に向かうに従い漸次、第１周壁体３４の小径部３４ｃにおける上端縁、および第２周壁体３５の上端開口縁から径方向の外側に張り出している。さらに、第２周壁体３５は、第１周壁体３４の小径部３４ｃよりも上下方向の大きさが短くなっており、この第２周壁体３５の下端縁は、第１周壁体３４の下端縁よりも上方に位置している。
また本実施形態では、第２周壁体３５の内周面における曲率半径は、押下ヘッド１４の囲繞筒部２８における下部２８ｂの外周面における曲率半径よりも大きくなっている。
【００３５】
以上の構成において、カバー体１８を吐出器本体１８から外すには、まず、第１周壁体３４および第２周壁体３５を、それぞれの他方の周端部同士が互いに離間する方向にヒンジ部３６回りに回転させて突起体３７の接続部３７ａを破断させる。そして、カバー体１８および吐出器本体１６を相対的に径方向に沿って離間移動させることで、装着キャップ１１の案内筒部２２を下筒部３０の開口部３０ａを径方向に通過させて下筒部３０内から離脱させる。
【００３６】
そして、購入者において内容物の使用後に保管する際には、下筒部３０の開口部３０ａと、装着キャップ１１の案内筒部２２と、を径方向で互いに対向させた状態で、カバー体１８と吐出器本体１６とを相対的に径方向に接近移動させることにより、案内筒部２２を下筒部３０の開口部３０ａを径方向に通過させて下筒部３０内に嵌合させ、カバー体１８を吐出器本体１６に装着する。これにより、押下ヘッド１４は、上方から上筒部３１の頂部３２により覆われるとともに、径方向の外側から上筒部３１の第１周壁体３４により覆われ、また下筒部３０の下端は、装着キャップ１１の天壁部１７上に配置され、さらに下筒部３０の上端と押下ヘッド１４の囲繞筒部２８の下端開口縁とが上下方向で対向若しくは当接する。
【００３７】
以上説明したように、本実施形態による吐出器１によれば、カバー体１８の上筒部３１の突起体３７が破断される前には、上筒部３１の周壁部３３が押下ヘッド１４を径方向の外側から覆っているので、カバー体１８の吐出器本体１６に対する径方向の移動が規制され、また、下筒部３０内に装着キャップ１１の案内筒部２２が嵌合されているので、下筒部３０の上端が押下ヘッド１４の囲繞筒部２８の下端開口縁に当接することで、カバー体１８の吐出器本体１６に対する上方に向けた移動も規制されることとなる。
【００３８】
したがって、販売前の流通、保管時あるいは販売陳列時等に、他人により意図的にあるいは不意に外力が加えられてもカバー体１８が吐出器本体１６から外れるのを防ぐことができる。
また、カバー体１８を吐出器本体１６から外すためには、上筒部３１の突起体３７を破断しなければならず、突起体３７を破断した後は、第２周壁体３５が第１周壁体３４に対して不安定で初期姿勢に復元不能となり、購入者にカバー体１８が吐出器本体１６から外されたことがあるか否かを容易に判別させることができる。
【００３９】
さらに、販売前の流通、保管時あるいは販売陳列時、さらには購入者による内容物の使用後の保管時の別を問わず、カバー体１８を吐出器本体１６に装着した状態では、下筒部３０の下端が装着キャップ１１の天壁部１７上に配置されるとともに、下筒部３０の上端と押下ヘッド１４の囲繞筒部２８の下端開口縁とが上下方向で対向若しくは当接しているので、吐出器１に押下ヘッド１４およびステム１２を下方に移動させる外力が加えられても、その力が、下筒部３０を介して装着キャップ１１に伝達されて容器体２により受け止められることとなり、押下ヘッド１４およびステム１２の下方への移動を防止することができる。
したがって、販売前の流通、保管時あるいは販売陳列時、さらには購入者による内容物の使用後の保管時の別を問わず、カバー体１８が吐出器本体１６に装着されているときには、他人により意図的にあるいは不意に加えられた外力によって内容物が吐出されてしまうのを防ぐことができる。
さらに本実施形態では、押下ヘッド１４が、上方からも上筒部３１の頂部３２により覆われているので、内容物の予期しない吐出を確実に防ぐことができる。
【００４０】
また本実施形態では、収納体３８が、上筒部３１の第１周壁体３４における周方向の中央部に径方向の外側に向けて突設されているので、内容物の使用後に、カバー体１８を再度吐出器本体１６に装着するために、下筒部３０の開口部３０ａと、装着キャップ１１の案内筒部２２と、を径方向で互いに対向させたときに、吐出筒２９の先端と収納体３８の内部とを径方向で互いに対向させることも可能になる。これにより、カバー体１８と吐出器本体１６とを相対的に径方向に接近移動させたときに、吐出筒２９を収納体３８の内部に進入させながら、下筒部３０内に案内筒部２２を嵌合することが可能になり、カバー体１８を吐出器本体１６に容易に装着することができる。
【００４１】
さらに本実施形態では、第２周壁体３５の内周面における曲率半径が、押下ヘッド１４の囲繞筒部２８における下部２８ｂの外周面における曲率半径よりも大きくなっているので、突起体３７を破断した後は、第２周壁体３５を押下ヘッド１４の囲繞筒部２８における下部２８ｂに外嵌させて固定することができなくなる。したがって、第２周壁体３５が第１周壁体３４のみならず押下ヘッド１４に対しても不安定となり、第２周壁体３５の初期姿勢を確実に復元不能にすることが可能になり、購入者にカバー体１８が吐出器本体１６から外されたことがあるか否かをより一層容易に判別させることができる。
【００４２】
また本実施形態では、下筒部３０の上端が、押下ヘッド１４の囲繞筒部２８の下端開口縁に下側から近接若しくは当接しているので、販売前の流通、保管時あるいは販売陳列時、さらには購入者による内容物の使用後の保管時の別を問わず、カバー体１８が吐出器本体１６に装着されているときには、他人により意図的にあるいは不意に加えられた外力によって、押下ヘッド１４が押し下げられるのをより一層確実に防ぐことができる。
【００４３】
さらに本実施形態では、第１周壁体３４が、囲繞筒部２８の上部２８ａを覆う大径部３４ｂと、囲繞筒部２８の下部２８ｂを覆う小径部３４ｃと、を備え、囲繞筒部２８の上部２８ａの外周面が、下方から上方に向かうに従い漸次、第１周壁体３４の小径部３４ｃにおける上端縁から径方向の外側に張り出しているので、カバー体１８および吐出器本体１６を相対的に径方向に接近移動させて、カバー体１８を吐出器本体１６に装着する際に、囲繞筒部２８の上部２８ａの外周面を、第１周壁体３４における小径部３４ｃの上端部により下側から支持させることが可能になり、両者１８、１６の上下方向に沿った相対的な位置がずれるのを抑制することができる。
【００４４】
なお、本発明の技術的範囲は前記実施の形態に限定されるものではなく、本発明の趣旨を逸脱しない範囲において種々の変更を加えることが可能である。
【００４５】
例えば、前記実施形態では、吐出器本体１６において下筒部３０に外嵌される部分として、装着キャップ１１の案内筒部２２を示したが、これに代えてステム１２としてもよい。
また、押下ヘッド１４において、下筒部３０の上端に上側から当接若しくは近接する部分として、囲繞筒部２８の下端開口縁を示したが、装着筒部２７の下端開口縁としてもよい。
また、下筒部３０の上端は、囲繞筒部２８や装着筒部２７の下端に下側から近接若しくは当接させずに、径方向に離間させたり、あるいは上下方向に遠く離したりしてもよい。
【００４６】
また、押下ヘッド１４に吐出筒２９を設けなくてもよい。
また、カバー体１８に収納体３８を設けなくてもよい。
また、ポンプ１３は、前記実施形態に限らず例えば、空気シリンダや空気ピストン等がポンプ１３に付け加えられたいわゆるフォーマポンプや、霧化用のチップを吐出孔に設けたスプレーポンプ等としてもよい。
また、第２周壁体３５の内周面における曲率半径を、押下ヘッド１４の囲繞筒部２８における下部２８ｂの外周面における曲率半径よりも大きくしたが、これに限らず適宜変更してもよい。
【００４７】
また、カバー体１８の突起体３７を破断した後に、第２周壁体３５、若しくは第２周壁体３５およびヒンジ部３６を切除してもよい。この場合、ヒンジ部３６若しくは第１周壁体３４の一方の周端部に、破断可能な例えば薄肉部等の弱化部を形成してもよい。
また、カバー体１８の突起体３７を破断した後に、第１板状体３４ａを切除してもよい。この場合、第１周壁体３４の他方の周端部に破断可能な例えば薄肉部等の弱化部を形成してもよい。
また、前記実施形態では、押下ヘッド１４を上方から覆う頂部３２を有する上筒部３１を示したが、この頂部３２を有しない上筒部３１を採用してもよい。
【００４８】
また、前記突起体３７は、前記実施形態に限らず適宜変更してもよい。
例えば、第２周壁体３５の第２板状体３５ａに接続された小径柱部と、この小径柱部の先端に接続された半球状部と、を備える二段柱状体を採用してもよい。そして、第１周壁体３４の第１板状体３４ａに形成された貫通孔３４ｆの小径部３４ｄ内に前記小径柱部を挿入し、大径部３４ｅ内の底面に前記半球状部を配置することで、第１周壁体３４および第２周壁体３５を、それぞれの他方の周端部同士を離間させるようにヒンジ部３６回りに回転させたときに、前記半球状部を貫通孔３４ｆの大径部３４ｅ内の底面に引っ掛けることで、前記小径柱部を破断させるようにしてもよい。
【００４９】
また、前記連結部材として破断可能な突起体３７を示したが、これに代えて例えば、突起体３７が第１板状体３４ａの貫通孔３４ｆ内に配置されて、第１板状体３４ａおよび第２板状体３５ａの各表面が互いに重ね合わされ、かつ第１板状体３４ａおよび第２板状体３５ａが第１周壁体３４および第２周壁体３５それぞれの他方の周端部に各別に例えば薄肉部等の破断可能な弱化部を介して連結された構成を採用してもよい。すなわち、前記連結部材として、突起体３７が貫通孔３４ｆ内に配置されたままの第１板状体３４ａおよび第２板状体３５ａを採用し、この第１板状体３４ａおよび第２板状体３５ａの全体を、前記弱化部を破断して周壁部３３から分離するようにしてもよい。
【００５０】
さらにこの連結部材においては、第１板状体３４ａが第１周壁体３４の他方の周端部に前記弱化部を介して連結され、第２板状体３５ａは第２周壁体３５の他方の周端部に前記弱化部を介さず破断不能に連結されてもよい。
そして、開封に際し、前記弱化部を破断して第１板状体３４ａを第１周壁体３４から分離し、突起体３７が貫通孔３４ｆ内に配置され、かつ第１板状体３４ａおよび第２板状体３５ａの各表面が互いに重ね合わされたままの状態で、第２周壁体３５を第１板状体３４ａおよび第２板状体３５ａとともに第１周壁体３４に対してヒンジ部３６回りに回転させてもよい。
この構成においては、第１板状体３４ａを第１周壁体３４から分離しても、この第１板状体３４ａを第２板状体３５ａとともに第２周壁体３５に固定しておくことが可能になり、開封に際して発生する廃棄部品の数を抑えることができる。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００５２】
販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる。
【符号の説明】
【００５３】
１  吐出器
２  容器体
２ａ  口部
１１  装着キャップ
１７  装着キャップの天壁部
１２  ステム
１３  ポンプ
１４  押下ヘッド
１６  吐出器本体
１８  カバー体
２２  案内筒部（中間部分）
２６  押下ヘッドの頂壁部
２７  装着筒部（筒体）
２８  囲繞筒部（筒体）
２９  吐出筒
３０  下筒部
３０ａ  開口部
３１  上筒部
３２  頂部
３３  周壁部
３４  第１周壁体
３５  第２周壁体
３６  ヒンジ部
３７  突起体（連結部材）
３８  収納体
【図１】
2010195469.tif 000003
【図２】
2010195469.tif 000004
【図３】
2010195469.tif 000005
【図４】
2010195469.tif 000006
【図５】
2010195469.tif 000007
【図６】
2010195469.tif 000008